(57)【特許請求の範囲】
【請求項１】
コネクタブロック組立体であって、
（ａ）複数のコネクタを備え、各コネクタが、別のコネクタの端面に合致するための端面をもつ第１の端部と、オプティカルファイバがコネクタに入っている第２の端部とを有し、各コネクタが、第１の端部から第２の端部まで延びた長さ方向を有しており、
（ｂ）複数のバネを備え、各バネが、複数のコネクタのそれぞれの第２の端部に当てて、配置された第１の端部と、第１の端部と反対側の第２の端部とを有し、バネが、コネクタの長さ方向と平行な圧縮方向を有しており、
（ｃ）個々の任意のコネクタを、他のコネクタを乱すことなく、取り外すことができるように、複数のコネクタの端面が露出され同じ方向に向いた状態で複数のコネクタが互いに平行に取り外し可能に取付けられたブロックを備え、ブロックが、複数のバネの第２の端部の各々が当接する第１の肩部面を構成し、ブロックが、複数のコネクタを複数のバネに抗して長さ方向に線形移動させ、かつ、コネクタのブロックへの取付け及びブロックからの取り外しを可能にしつつ、互いに対して側方方向に固定された複数のコネクタを保持するように構成され、
コネクタが、コネクタの第１の端部の方へ向いたコネクタ肩部を構成する段付き横断面を有し、ブロックが更に、第１の肩部面の方へ向いた第２の肩部面を構成し、コネクタ肩部が、ブロックの第２の肩部面に当接し、バネの第２の端部が、ブロックの第１の肩部面に当接し、
ブロックが、複数のコネクタ溝を構成し、各コネクタ溝が、バネを圧縮する長さ方向での移動を許容しつつ、複数のコネクタが互いに対して側方方向において固定されるように、コネクタの部分を受け入れるように寸法決めされ、
コネクタの第１の端部と第２の端部との間の部分が、複数のコネクタ溝のそれぞれにおいて長さ方向に摺動可能に配置され、
さらに、複数のインサートを備え、各インサートが、複数のコネクタ溝のそれぞれの少なくとも一部を構成し、インサートが適所に置かれた時、コネクタ溝がコネクタと密接し、インサートが取り外されたとき、コネクタ溝が拡大される
ことを特徴とするコネクタブロック組立体。
【請求項２】
ブロックが円筒形であり、コネクタが、ブロックのまわりに円周方向に間隔を隔てられた複数のキャビティに受け入れられることを特徴とする請求項１に記載のコネクタブロック組立体。
【請求項３】
第１の複数のコネクタと第２の複数のコネクタとを同時に合致させバネ押しするための方法であって、
（ａ）第１および第２の複数のコネクタの後方に、バネを配置する段階を備え、バネが、コネクタに当接する第１の端部と、第１の端部の反対側の第２の端部とを有し、
（ｂ）個々の任意のコネクタを、他のコネクタを乱すことなく、取り外すことができるように、各ブロックに構成されている第１の肩部面にバネの第２の端部を当接させることによって、第１の複数のコネクタとバネとを第１のブロックに取り外し可能に配置し、第２の複数のコネクタとバネとを第２のブロックに配置する段階を備え、第１および第２のブロックが、複数のコネクタを長さ方向に移動させてバネを第１の肩部面に押しつけるように構成されており、
（ｃ）第１のブロックを第２のブロックに合致させてサブユニットを形成し、これにより第１の複数のコネクタを第２の複数のコネクタに作動的に合致させバネ押しし、
合致しているコネクタ対を、他の合致しているコネクタ対を乱すことなしに、合致した第１及び第２ブロックから取り外す段階を更に備え、
ブロックに設置されているインサートを取り外し、コネクタ対が配置される付加的な空間を作り出す段階を更に備えている
ことを特徴とする方法。
【発明の詳細な説明】
【０００１】
【発明の属する技術分野】
本発明は、コネクタブロック組立体、および複数のコネクタを合致させバネ押しするための方法に関する。
【０００２】
【従来の技術】
２つの大きなオプティカルファイバケーブルを接続するには、一方のケーブルの各ファイバを他方のケーブルの対応するファイバに合致させる、時間のかかる作業を必要とする。大きなケーブルがいくつかのリボンケーブルを含んでいるとき、２つのリボンファイバを合致させるのに、マルチファイバオプティカルコネクタが、しばしば使用される。１９９５年６月８日に出願された米国特許出願第０８／４８７，７６５号（ファイバオプティックコネクタにガイドピンを挿入するためのアプリケータおよび方法）では、マルチファイバオプティカルコネクタを受け入れるため、複数のコネクタにピンとゲルを同時に付加するとともに、引き続いてコネクタの対応するスタックを同時に合致させるシェル１４が配置されている。同時に行われるピン挿入、ゲリング、合致は、２つの大きなオプティカルファイバケーブルを接続する作業を容易にする。このような出願の要旨を参考文献としてここに含める。
【０００３】
米国特許出願第０８／４８７，７６５号では、コネクタのスタックを合致させた後、合致した個々のコネクタ対を取り外し、バネで一度に一対にクリップ止めする。コネクタ対は、互いの方へ押しつけるようにコネクタの端面を維持するように、バネでクリップ止めされなければならない。端面をこのようにバネ押しすることなしには、コネクタ間の許容される接続を維持することができない。次いで、バネでクリップ止めされたコネクタ対は、１群のコネクタ対を保持することができるサブユニットに装荷される。次いで、サブユニットは、スプライスの代わりに合致したマルチファイバコネクタ対を実際に囲んでいる点を除いてスプライスクロージャとして通常知られているものに類似した円筒形のコネクタクロージャに収納されたいくつかのコネクタトレイの１つに装荷される。ナガサワ等に付与された米国特許第５，２１４，７３０号は更に、本発明について使用することができる型式のマルチファイバフェルールオプティカルコネクタを開示している。たとえば、この特許の図１〜図４を参照されたい。本発明は、このようなマルチファイバフェルールについての使用に限定されるものではない。
【０００４】
【発明が解決しようとする課題】
米国特許出願第０８／４８７，７６５号に記載されているシェルと方法の１つの欠点は、コネクタの２つのスタックを合致させた後、各コネクタ対を取り外し、一方のコネクタ対を一度にクリップ止めしなければならないことである。これは、時間がかかる方法である。さらに、コネクタ対をシェルから取り外す際、コネクタ対が非合致状態になるおそれがある。したがって、コネクタのスタックを同時に合致させるとともに、個々のバネ押しのためにコネクタ対を取り外す必要のない装置に対する要請がある。
米国特許出願第０８／４８７，７６５号のもう１つの欠点は、２つのシェルにコネクタを装荷し互いに合致させた後に、コネクタ対を取り外し、トレイ又は他の保管装置に置くため別個のサブユニットに配置することである。合致した対を別の装置に移送させるのは、時間がかかる。したがって、コネクタ対を同時に合致させ、コネクタクロージャのコネクタトレイに直接置くことができ、これにより合致したコネクタ対のシェルからサブユニットへの移送の必要性を除去するサブユニットとなることができる装置に対する要請がある。
【０００５】
２つの大きなケーブルが接続された後に、オプティカルファイバ網に変更を加えるため接続部に修正を施すことは殆ど避けられない。さらに、サブユニットにおいてコネクタを合致させバネ押しされた後に、サブユニットにおいて他のコネクタ対を乱すことなしに、任意のコネクタ対への接近を可能にする装置に対する要請がある。たとえば、最初の取付け後にオプティカルファイバ網を再構成し或いは追加する場合には、オプティカルファイバ網のラインを変更するため、個々の接続に接近することができる。
【０００６】
【課題を解決するための手段】
上述の要請に適合させるべく、コネクタブロックおよび方法が提供される。本発明のコネクタブロック組立体は、コネクタブロックに取り外し可能に装荷される複数のコネクタとバネの結合体を備えている。各コネクタは、別のコネクタの端面に当接する端面をもつ第１の端部と、オプティカルファイバがコネクタに入る第２の端部とを有している。各コネクタは、第１の端部から第２の端部まで延びた長さ方向を有している。
各バネは、複数のコネクタのそれぞれの第２の端部に当てて配置された第１の端部と、第１の端部と反対側の第２の端部とを有している。バネは、コネクタの長さ方向と平行な圧縮方向を有している。
【０００７】
複数のコネクタとバネは、複数のコネクタの各端面が露出された状態で、互いに平行にブロックに取り外し可能に取付けられている。ブロックは、複数のバネの第２の端部の各々が当接する第１の肩部面を構成している。ブロックは、複数のコネクタを複数のバネに抗して長さ方向に線形移動させ、かつ、コネクタのブロックへの取付け及びブロックからの取り外しを可能にしつつ、互いに対して側方方向に固定された複数のコネクタを保持するように構成されている。
本発明のもう１つの観点は、上述したコネクタブロックのみに関する。
本発明の方法は、複数のコネクタを同時に合致させバネ押しする方法を提供する。バネが、第１および第２の複数のコネクタの各コネクタの後方に配置されている。バネは、コネクタに当接する第１の端部と、第１の端部と反対側の第２の端部とを有している。複数のバネとコネクタの対は、各ブロックに構成されている第１の肩部面にバネの第２の端部を当接させることによって、各ブロックに一緒に配置されている。第１および第２のブロックは、複数のコネクタを長さ方向に移動させてバネを第１の肩部面に押しつけるように構成されている。次いで、第１のブロックを第２のブロックに合致させてサブユニットを形成し、これにより、第１の複数のコネクタを第２の複数のコネクタに作動的に合致させバネ押しする。
【０００８】
本発明のもう１つの観点は、第１の複数のコネクタを第２の複数のコネクタに同時に合致させ、個々の合致されたコネクタ対への接近を可能にする方法を提供する。複数のコネクタを各ブロックに取り外し可能に配置する。第１のブロックを第２のブロックに合致させてサブユニットを形成し、これにより第１の複数のコネクタを第２の複数のコネクタに作動的に合致させる。合致しているコネクタ対を、他の合致しているコネクタ対を乱すことなしに、サブユニットから取り外す。取り外されたコネクタ対の代わりに、コネクタ対をブロックに取り外し可能に配置する。
本発明は、２つのオプティカルファイバケーブルを最初に接続し、かつ、最初の接続を後で修正する合理的な措置を可能にする。コネクタ対の個々のバネ押しが除去され、或るサブユニットから別のサブユニットへのコネクタ対の移送が除去され、他のコネクタ対を乱すことなしに、個々のコネクタ対への接近が得られる。
【０００９】
【発明の実施の形態】
図１〜図９を参照すると、本発明の好ましい実施の形態が示されている。本発明の１つの観点は、複数のオプティカルファイバコネクタ１２を取り外し可能に装荷することができる、図１に示されるコネクタブロック１０である。本発明のもう１つの観点は、コネクタ１２とバネ３８が取り外し可能に装荷されているコネクタブロック１４の結合体である、図２に示されるコネクタブロック１０である。コネクタ１２は、従来の技術において述べたＭＴ型のコネクタとして示されている。好ましい実施の形態が、マルチファイバフェルールを含むＭＴコネクタに関連して示されているが、本発明を、他の形式のオプティカルファイバコネクタ又はフェルールについて使用することができることを理解すべきである。
【００１０】
コネクタ１２は、第１の端部２０を有し、第１の端部２０には、オプティカルファイバ２４が終り、ガイドピンホール２６が形成されている端面２２が設けられている。端面２２は、或るコネクタのガイドピンホール２６に配置されたガイドピン２８が２つの対向するオプティカルファイバ２４の組の適当な整列を確保するように他のコネクタのガイドピンホールに挿入されると（図４参照）、別のコネクタ１２の別の端面２２に当たるようになっている。端面２２は、たとえば角度付き面や段付き面のような任意の形体のものでよい。端面の幾つかの例が、上述のナガサワの特許に開示されている。
コネクタ１２は、第１の端部２０と対向した第２の端部３０を有し、第２の端部３０には、リボンファイバ３２が挿入されている。リボンファイバ３２は、互いに列をなして外装されたオプティカルファイバ２４を収容している。コネクタ１２は、第１の端部２０と第２の端部３０との間に肩部３４が構成された段付き横断面を有している。肩部３４は、第１の端部２０の方へ面している。肩部３４は、コネクタ１２の周囲全体に延びていてもよく、或いは、コネクタ１２の１以上の別個の箇所にのみ設けられていてもよい。
【００１１】
バネ３８が、コネクタ１２の後方に配置されている。リボンファイバ３２を囲むコイルバネが示されているが、コイルバネの代わりに種々の形式のバネを使用することができることを理解すべきである。たとえば、リボンファイバ３２の全体を囲む必要のない板バネ構造体を使用することもできる。バネ３８は、コネクタ１２の第２の端部３０に当接するための第１の端部４０と、第１の端部４０と反対側の第２の端部４２とを有している。長さ方向は、コネクタ１２の第２の端部３０から第１の端部２０までリボンファイバ３２およびバネ３８と平行に延びる方向として定義される。
ブロック１４は、種々の形体のものでよい。好ましい実施の形態では、ブロック１４は、リボンファイバ３２の開放キャビティ４６内への通過、端面２２のブロック１４外への突出、そして２つのブロック１４を互いに合致させたときコネクタ１２のブロック１４に対する長さ方向移動を可能にしつつ、複数のバネ３８付きコネクタ１２を受け入れるように寸法決めされた開放キャビティ４６を構成している。好ましい実施の形態においてこれらの特徴を達成するため、ブロック１４は、バネ３８の第２の端部４２が当接する第１の肩部面５０を有している。ブロック１４は又、コネクタ１２の肩部３４が当接する第２の肩部面５２を有している。ブロック１４の対向する肩部面５０、５２は、コネクタ１２の肩部３４が第２の肩部面５２に当接しバネ３８の第２の端部４２が第１の肩部面５０に当接したときにバネ３８が圧縮を受けるように、間隔を隔てられている。
【００１２】
ブロック１４は、前面５４を有しており、前面５４は、第２の肩部面５２から、コネクタ１２の肩部３４の端面２２までの距離よりも短い距離隔てられている。この構成では、コネクタ１２の端面２２は、コネクタ１２の肩部３４がブロック１４の肩部面５２に当接するとき、ブロック１４の前面５４を超えて突出するであろう。バネ３８は、コネクタ１２の肩部３４を、ブロック１４の第２の肩部面５２に当接させる。
図６に示されるように、２つのブロック１４を接続するとき、コネクタ１２の対向する端面２２は互いに押しつけられ、バネ３８の力に抗して、コネクタ１２をブロック１４内で摺動させる。したがって、肩部３４は、第２の肩部面５２から遠去けられ、バネ３８の付勢力は、コネクタ１２の対向する端面２２を互いに押しつけるように移送される。
【００１３】
２つのコネクタ１２を互いに合致させる精度を高めるため、ブロック１４は、コネクタ１２の部分を肩部３４と第１の端部２０との間で摺動可能に受け入れるためのコネクタ溝６０を構成している。コネクタ溝６０は、２つの完全に装荷されたブロック１４の正確な合致を可能にするため、ブロック１４内でのコネクタ１２の側方の遊びを最少にしてコネクタ１２を側方方向において互いに固定するように構成されている。同時に、コネクタ溝６０は、他のコネクタとの合致の際、バネ３８に抗してコネクタ１２を摺動させる。
ブロック１４の別の好ましい実施の形態は、リボンファイバ３２の配置を可能にするファイバ溝６２を有している。ファイバ溝６２を省略してもよいが、ファイバ溝６２は、剛性を確保するためブロック１４のブロック状の形体を可能にし、かつ、塵や汚染物のキャビティ４６内への浸入を阻止するように、十分小さな横断面のものである。リボンファイバ３２が不意に引っ張られてファイバ／コネクタ構造を損傷することないように、及び／又は、汚染物のキャビティ４６内への浸入を阻止するように、歪み解放及び／又は密封形式のものをファイバ溝６２に組み込んでもよい。
【００１４】
作動の際、コネクタ１２およびバネ３８の結合体は、図２に示されるように、ブロック１４に装荷される。図３に示されるように、キャビティ４６の上に蓋６６を配置してもよい。図４は、合致するように配置された第１のブロック１４ａと第２のブロック１４ｂを示している。第１のブロック１４ａと第２のブロック１４ｂを互いに合致させるため、ラッチ６８および協同する受口７０が設けられている。任意の形式のラッチ又は取付け構造体を使用してもよい。ＭＴコネクタにおいてブロック１４ａとブロック１４ｂを合致させる前に、一方のブロック（たとえば、図４ではブロック１４ａ）のコネクタ１２に、ガイドピン２８を挿入しなければならない。ガイドピンは独立して挿入してもよく、米国特許出願第０８／４８７，７６５号に開示されているようなピンアプリケータを使用してもよい。所望ならば、ブロック１４の一方の１組又は両方の組の端面２２に、米国特許出願第０８／４８７，７６５号に開示されているようなインデックスマッチングゲルを付けてもよい。
【００１５】
ガイドピンとゲルを付けた後（普通のＭＹ型のコネクタ以外のコネクタを使用した場合には、ガイドピンは不要である）、図５に示されるようにラッチ６８が受口７０を捕捉してサブユニット７４が形成されるまで、ブロック１４ａとブロック１４ｂを合致させる。最初の取付けでは、サブユニット７４を、コネクタクロージャのトレイ又は引出しに配置してもよい。サブユニット７４は容易に取り扱うことができ、高密度構造体に容易に保管される。
図６〜図９を参照すると、本発明の別の観点では、サブユニット７４の他の接続を乱すことなしに単一の接続を切断するため、サブユニット７４の内部に接近することができる。接続を変えようとするとき、変えようとするラインを含むサブユニットを、クロージャのトレイ又は引出しから取り外し、ブロック１４から蓋６６を取り外してキャビティ４６を開ける。切断しようとするコネクタ対７６をブロック１４ａ、１４ｂから取り外し、接続を外す。次いで、新しい接続を行い、新しい接続の各コネクタがバネ３８を有している場合には、サブユニット７４に挿入する。
【００１６】
本発明の更に別の観点では、新しい接続のコネクタの一方又は両方がリボンファイバ３２に予め取付けられたバネ３８を有していない場合に、新しい接続に対処することができる。リボンファイバ３２に予め取付ける必要がないがリボンファイバ３２を囲む必要なしにコネクタ１２の後方に配置することができるバネ機構がある場合には、この本発明の更に別の観点を取り除くことができる。しかしながら、この観点のもう１つの利点は、ＭＴコネクタジョイントよりも大きくてもよい別の形式のジョイントにも対処することができることである。より詳細には、この観点は、インサート８０を備えており、図７では、２つのインサート８０がブロック１４ａ、１４ｂから取り外された状態で示されている。コネクタ１２の一方が対応するバネ３８を有していない場合には、図８に示されるような普通のバネクリップ８２を使用して２つのコネクタを互いに押しつけることができる。別の実施の形態において使用されるバネクリップ８２を示した図１７も参照されたい。コネクタをブロック１４に配置しようとする箇所に置かれているインサート８０を取り外し、これにより、図８に示されるようにバネクリップ８２を備えたコネクタ１２の配置を可能にする付加的な空間が作り出される。バネクリップを備えたコネクタの一方がバネ３８も有している場合には、（図８および蓋６６が取付けられた図９に示されるように）バネ３８がサブユニット７４の外側に配置されるように、バネ３８をリボンファイバ３２のところに摺動させればよい。
【００１７】
インサート８０を使用することによって、コネクタ溝６０は、溝の一部を構成するインサート８０のため、最初の取付けの際にコネクタ１２とぴったり嵌まる。次いで、インサート８０を取り外すとき、コネクタ溝６０は、バネクリップ又は他の型式のジョイントのための空間を定めるように拡大される。
コネクタ１２の列が最小の寸法を有するようにコネクタ１２が配向されることに留意すべきである。換言すれば、ブロック１４の各コネクタ１２は、図１５に示されるように９０°回転させることができる。図１５のブロックは幅広であるが、図１５の実施の形態の１つの利点は、インサート８０を除去することができることである。何故ならば、将来使用するかもしれないバネクリップが、図８のように側部の方へではなくコネクタから上方に延びているからである。図１５のコネクタ溝には依然として、バネクリップ８２を備えた或いはバネクリップ８２を備えていないコネクタ１２が置かれている。
【００１８】
図１０〜図１４は、ブロック９０が円筒形構造体をなしている、別の実施の形態を示している。図１５に関連して述べられたのと同様な利点が、コネクタの最も幅広の寸法が半径方向と直交する状態で円筒体のまわりに配置されたコネクタ１２によって得られる。しかしながら、最も幅広の寸法が図１７に示されるように半径方向と整列した状態でコネクタ１２を配列することもできる。
図１０〜図１４のブロック９０は、円周方向に間隔を隔てたキャビティ９２を構成している。各キャビティ９２は、コネクタ１２の肩部３４とバネ３８を捕捉するための第１の肩部９４と第２の肩部９６を有している。ブロック９０は、好ましい実施の形態と同様に、コネクタ溝９８とファイバ溝１００を構成している。ブロック９０は又、整列ボア１０２と溝１０４を構成している。図１１は、コネクタ１２が完全に装荷されたブロック９０を示している。
【００１９】
図１１および図１２を参照すると、整列ラッチピン１０６は、図１２および図１３に示されるように２つのブロック９０を整列させるため、整列ボア１０２と溝１０４内に挿入されるように寸法決めされた外径とリブ１１０を備えた中央部分１０８を有している。整列ラッチピン１０６は又、ラッチピン１０６を整列させるため、ブロック９０を係止するための対向した係止端部１１２を有している。
図１０〜図１４の実施の形態の作動の際、第１の複数のコネクタ１２と対応するバネ３８をブロック９０ａに装荷し、第２の複数のコネクタ１２と対応するバネ３８をブロック９０ｂに装荷する。次いで、係止端部１１２が係止されるまで整列ラッチピン１０６の上でブロック９０ａ、９０ｂを互いに押す。この合致は、コネクタ１２の端面２２を互いの方へ押し、バネ３８のバネ力に抗してコネクタ１２を各ブロック内に押し込む。好ましい実施の形態と同様な利点（すなわち、１群のコネクタを同時に合致させ、各コネクタ対を個々にバネクリップ止めする必要なしにコネクタを互いに同時にバネ押しする能力、同時に合致させトレイ又は引出しに配置するため同じサブユニットを使用する能力、他の合致したコネクタ対を乱すことなしに、個々の合致したコネクタ対に接近して接続を変える能力）が得られる。
【００２０】
図１３は、サブユニット１１６を形成するように接合された２つのブロック９０を示している。図１３は又、元のコネクタ１２および元のコネクタと置き換えられた新しいコネクタ１３を有する新しいコネクタ対１１４を示している。コネクタ１３は、バネ３８を有しておらず、コネクタ１２、１３の端面を互いに付勢するのにバネクリップ８２が使用されている。図１４は、サブユニット１１６のキャビティ９２に配置されたバネクリップ対１１４を示している。
図１５〜図１７は、別のブロックの配置を示している。図１５と図１７については既に触れられている。図１５は、コネクタ１２を並設して保持するように構成されたブロック１４′を示している。図１６は、５つのコネクタのためのコンパクトな構造体を提供するブロック１４′′を示している。図１７は、図１０〜図１４のブロック９０におけるコネクタ１２の配向から９０°回転させてコネクタ１２を保持するように構成されたブロック９０′を示している。これらの実施の形態は５つのコネクタに適合するものであるが、本発明が他の数のコネクタにも適用できることを理解すべきである。
【００２１】
本発明の方法の１つの観点は、２つの同様な装荷されたブロックを互いに合致させると同時に、複数のコネクタ１２を合致させバネ押しするような、ブロック１４でのコネクタ１２の装荷である。本発明の方法のもう１つの観点は、ブロック１４でのコネクタ１２の取り外し可能な装荷であり、他のコネクタ対を乱すことなしに個々のコネクタ対に後で接近できることである。これらの観点は、本発明の種々の実施の形態の作動に関連して詳細に上述されている。
一定の実施の形態に関連して本発明を説明してきたが、当業者には修正や変形が想起されるかもしれない。本発明は、特許請求の範囲の範囲内にある、このような修正や変形を包含することを意図している。
【図面の簡単な説明】
【図１】コネクタが配置されている、本発明のコネクタブロックの好ましい実施の形態の斜視図である。
【図２】コネクタが完全に装荷され、コネクタブロックを閉鎖するため蓋が配置されている、図１のコネクタブロックの斜視図である。
【図３】蓋で閉鎖された、図１のコネクタブロックの斜視図である。
【図４】ガイドピンがコネクタに挿入されている図３のコネクタブロック、及びこのコネクタブロックと合致するように配置された第２のコネクタブロックの斜視図である。
【図５】合致しサブユニットが形成されている、図４のコネクタブロックの斜視図である。
【図６】蓋が取り外され、接続を変えるためサブユニットからコネクタ対が取り外された、図５のサブユニットの斜視図である。
【図７】サブユニットにバネクリップ式のコネクタ対を配置できるように２つのインサートが取り外された、図５のサブユニットの斜視図である。
【図８】バネクリップ式のコネクタ対が配置された、図７のサブユニットの斜視図である。
【図９】サブユニットが蓋で閉鎖され、不要なバネがサブユニットの外側に置かれた、図８のサブユニットの斜視図である。
【図１０】コネクタが配置された、本発明のコネクタブロックの別の実施の形態の斜視図である。
【図１１】コネクタが完全に装荷され、整列ラッチピンがコネクタに挿入されている、図１０のコネクタブロックの斜視図である。
【図１２】整列ラッチピンが挿入され、第２のコネクタブロックが第１のコネクタブロックと合致するように配置されている、図１０のコネクタブロックの斜視図である。
【図１３】サブユニットを形成するように合致された２つのコネクタブロックの斜視図であって、サブユニットからコネクタ対を取り外した後、２つの元のコネクタのうち一方が取り外され、新しいコネクタが残りの元のコネクタに合致され、新しいコネクタ対に取付けられるようにバネクリップが配置されている。
【図１４】新しいコネクタ対にバネクリップが取付けられ、コネクタブロックに配置されている、図１３のサブユニットの斜視図である。
【図１５】コネクタが完全に装荷された、本発明のもう１つの別の実施の形態の斜視図である。
【図１６】コネクタが完全に装荷された、本発明のもう１つの別の実施の形態の斜視図である。
【図１７】コネクタが完全に装荷された、本発明のもう１つの別の実施の形態の端面図である。
【符号の説明】
１０  コネクタブロック
１２  コネクタ
１４  ブロック
２４  オプティカルファイバ
３２  リボンファイバ
３８  バネ
４６  開放キャビティ
６０  コネクタ溝
６２  ファイバ溝
６８  ラッチ
７０  受口
７４  サブユニット
８０  インサート
８２  バネクリップ
【図１】
0003902833.tif 000002
【図２】
0003902833.tif 000003
【図３】
0003902833.tif 000004
【図４】
0003902833.tif 000005
【図５】
0003902833.tif 000006
【図６】
0003902833.tif 000007
【図７】
0003902833.tif 000008
【図８】
0003902833.tif 000009
【図９】
0003902833.tif 000010
【図１０】
0003902833.tif 000011
【図１１】
0003902833.tif 000012
【図１２】
0003902833.tif 000013
【図１３】
0003902833.tif 000014
【図１４】
0003902833.tif 000015
【図１５】
0003902833.tif 000016
【図１６】
0003902833.tif 000017
【図１７】
0003902833.tif 000018